(57)【要約】【課題】件名と本文との必要最小限であるそれぞれのヘッダ部分のみを同じ画面に同時に表示させて、そのうち所望の項目のみを選択して全文表示させることのできる通信端末装置を提供する。【解決手段】電子メールの件名項目、本文項目、内容表示項目をいっしょに表示する共通選択画面を設け、その共通選択画面で電子メールの件名項目、本文項目のいずれかを選択し、更に内容表示項目を選択したときには、表示部８に、電子メールの件名あるいは電子メールの本文を全画面表示させる表示操作制御手段１を備えている。【選択図】図１
2005192092.tif 000002
【特許請求の範囲】
【請求項１】
電子メール表示画面を表示部に表示させて、保存した電子メールの内容を所定の操作によって確認する機能を備えた通信端末装置において、
電子メールの件名項目、本文項目、内容表示項目をいっしょに表示する共通選択画面を設け、その共通選択画面で電子メールの件名項目、本文項目のいずれかを選択し、更に内容表示項目を選択したときには、上記表示部に、電子メールの件名あるいは電子メールの本文を全画面表示させる表示操作制御手段を備えている、通信端末装置。
【請求項２】
請求項１において、
上記表示操作手段は、上記共通選択画面で選択された電子メールの件名、電子メールの本文を、上記表示部に全画面表示する際に、それらの全体が表示部に表示できないときには、続きありの情報を表示させるようにしている、通信端末装置。
【請求項３】
請求項２において、
上記表示操作手段は、操作手段によって上記表示画面に表示された、電子メールの件名、電子メールの本文をスクロール表示できるようにしている、通信端末装置。
【発明の詳細な説明】
【技術分野】
【０００１】
本発明は、電子メール表示画面を表示部に表示させて、保存した電子メールの内容を所定の操作によって確認する機能を備えた通信端末装置の改良に関する。
【背景技術】
【０００２】
従来、電子メールの送受機能を有する通信端末装置が広く普及しており、例えば、下記特許文献１に示す携帯電話機では、電子メール一覧から特定のメールを選択すると、少なくとも、当該電子メールの件名全文と本文のヘッダ部分とが表示され、続けて操作すると、当該電子メールの本文全文のみが表示されるようになっている。
【特許文献１】特開２００１−２４５０２５号公報
【発明の開示】
【発明が解決しようとする課題】
【０００３】
しかしながら、上記特許文献１は、電子メール一覧の中から特定のメールを選択して内容確認する際、まず、件名全文と本文の最初部分とが表示され、それから、本文全文のみが表示されるので、件名と本文の必要最小限である最初部分のみを同時に見て、件名全文または本文全文のいずれかのみを選択的に表示させて確認することができず、不便であった。
【０００４】
本発明は、このような問題を考慮してなされたものであり、件名と本文との必要最小限である最初部分のみを同じ画面に同時に表示させて、そのうち所望の項目のみを選択して全文表示させることのできる通信端末装置を提供することを目的としている。
【課題を解決するための手段】
【０００５】
上記目的を達成するために提案される請求項１では、電子メールの件名項目、本文項目、内容表示項目をいっしょに表示する共通選択画面を設け、その共通選択画面で電子メールの件名項目、本文項目のいずれかを選択し、更に内容表示項目を選択したときには、上記表示部に、電子メールの件名あるいは電子メールの本文を全画面表示させる表示操作制御手段を備えている。
【０００６】
ここに、共通選択画面に各項目を表示すべき電子メールとは、複数の受信済み電子メール、複数の送信済み電子メールがある。このうち所望の電子メールを選択して共通選択画面を表示させる。
【０００７】
なお、共通選択画面を選択させる前に、装置に格納された全ての電子メールにつき、送信済み、受信した開封済み、未開封、いまだ送信していない下書きの電子メールを区分して表示する電子メール一覧を表示すれば、ユーザにとって、共通選択画面で件名、本文を確認したい電子メールの選択が楽にできる。
【０００８】
請求項２では、表示操作手段は、共通選択画面で選択された電子メールの件名、電子メールの本文を、表示部に全画面表示する際に、それらの全体が表示部に表示できないときには、続きありの情報を表示させるようにしている。
【０００９】
請求項３では、表示操作手段は、操作手段によって表示画面に表示された、電子メールの件名、電子メールの本文をスクロール表示できるようにしている。
【発明の効果】
【００１０】
請求項１に記載の発明によれば、ユーザにとって認識させるべき必要最小限の件名の最初部分、本文の最初部分とを共通選択画面に表示するので、小さな表示部を使って、電子メールの件名、本文を効果的に表示することができる。
【００１１】
また、共通選択画面で、件名項目、本文項目のいずれかを選択して、各々の全文を選択的に表示できるので、件名、本文いずれか参照したい項目の全文を表示させやすく、全文表示させれば他の項目の文字が存在しなくなり、読みやすくできる。
【００１２】
請求項２に記載の発明によれば、電子メールの件名、本文を全文表示する際に、全体が表示部に表示しきれない場合には、続きありの情報を表示するので、件名や本文に、表示部には表示しきれない続きがあることが明確に確認できる。
【００１３】
請求項３に記載の発明によれば、件名、本文をスクロール表示するので、表示部に表示しきれない情報をスクロール操作によって容易に確認することができる。
【発明を実施するための最良の形態】
【００１４】
以下に、本発明の実施の形態について説明する。
【実施例１】
【００１５】
図１は、本発明の通信端末装置の基本構成の一例を示すブロック図である。なお、ここでは、通信端末装置の一例として、インターネット通信機能を備えるファクシミリ装置Ｆの構成を示しているが、この例には限られず、電子メール送受信をし、送受した電子メール内容を確認できる表示部を備えているものであればよい。
【００１６】
このファクシミリ装置Ｆは、ＣＰＵなどで構成され、表示操作制御手段を構成する制御部１と、電話回線Ｌ１の接続制御をするＮＣＵ２と、ファクシミリ通信に必要な各種信号の変復調をするモデム３と、短縮ダイヤルなどを記憶するＲＡＭ４と、このファクシミリ装置Ｆが動作するのに必要なプログラムなどを記憶するＲＯＭ５と、セットされた原稿を読み取り、画像データを生成するスキャナ６と、画像データを一時格納する画像メモリ７と、表示部８と、操作部９と、セットされた記録紙に画像データを記録するプリンタ１０と、ＬＡＮを通じてファクシミリ装置Ｆをインターネットなどの通信ネットワークに接続するためのインタフェース１１と、送信済みメール、未送信メールを分類して格納する送信メールトレイ１２Ａと、受信済みメールを格納し、既読メールと未読メールとに分類して格納する受信メールトレイ１２Ｂとを備える。
【００１７】
このような送信メールトレイ１２Ａと、受信メールトレイ１２Ｂとは、外付けの記憶装置に、その領域を確保してもよいし、ＲＡＭ４にその領域を確保してもよい。
【００１８】
このファクシミリ装置Ｆでは、ＬＡＮインタフェース１１を通じてＬＡＮに接続され、ＬＡＮを通じて電子メールを送受できる。所定操作により、電子メール通信機能を実行させて、電子メールを作成できる。こうして作成した電子メールは一旦未送信メールとして送信メールトレイ１２Ａに格納させておきその後送信もできるが、作成した電子メールをＬＡＮを通じて送信すれば、そのコピーが送信済みメールとして送信メールトレイ１２Ａに格納される。
【００１９】
また、所定操作により、電子メール通信機能を実行させて電子メールを受信できる。こうして受信した電子メールは受信メールトレイ１２Ｂに格納される。格納された電子メールは、既読メール、未読メールに分類される。
【００２０】
このような基本構成のファクシミリ装置Ｆでは、以下に示す特徴的な処理ができる。これについて、図２、３とともに説明する。図２は、送信メールトレイ１２Ａまたは受信メールトレイ１２Ｂに格納されている電子メールの表示処理態様を示すフローチャートであり、図３は、この処理による表示部８の表示内容遷移の一例を示す図である。
【００２１】
このファクシミリ装置Ｆは、図２のフローに示すように、この装置Ｆに格納されている電子メールの表示指示があると、電子メール一覧画面（不図示）を表示部８に表示する（１００）。電子メール一覧画面の表示態様は、受信済みメールのみ、送信済みメール、未送信メールのみ、受信済みメールから既読と未読とを分類して各々のみ表示するといった態様がある。そして、ユーザの選択操作により、１の電子メールが選択されると（１０１）、図３（ａ）に示すような共通選択画面８Ａが表示される（１０２）。
【００２２】
この共通選択画面８Ａでは、電子メールの件名項目８０、本文項目８１、内容表示項目８２とがいっしょに表示されている。件名項目８０と本文項目８１は、それぞれのヘッダ部分のみが表示されている。
【００２３】
ユーザが、この画面８Ａの反転表示を操作部９のカーソルキー操作やタッチパネル操作によって選択し、内容表示項目８２をキー操作やタッチパネル操作によって選択すると、反転表示された項目８０，８１の全文表示に切り替わる。
【００２４】
すなわち、共通選択画面８Ａで、件名項目８０を選択して内容表示項目８２を選択すると（１０３）、表示部８の表示が切り替わって、件名全文表示８Ｂとなる（１０４）。一方、本文項目８１を選択して内容表示項目８２を選択すると（１０５）、表示部８の表示が切り替わって、本文全文表示８Ｃとなる（１０６）。
【００２５】
なお、件名全文表示８Ｂまたは本文全文表示８Ｃに切り換えた際、その全文が表示部８に表示しきれない場合には、表示しきれる限度まで本文を表示した上で、続きのある旨を示す情報８４、図３では「▼」記号を付している。この場合は、操作部９のスクロール操作で続きを表示させることができる。
【００２６】
そして、表示終了項目８３を選択すると、元の共通選択画面８Ａに戻る。つまり、このファクシミリ装置Ｆでは、共通選択画面８Ａにおいて、件名項目８０、本文項目８１のいずれかを選択すると、件名あるいは本文が全画面表示されることになる。したがって、件名あるいは本文を選択的に全画面表示できることになる。なお、図３において、「表示終了」の文字は先述した表示終了項目８３を意味しており、この表示は件名あるいは本文の内容の一部を意味するものではないことはいうまでもない。
【００２７】
このように、まず、共通選択項目８Ａに、選択された電子メールの件名項目８０と本文項目８１において、それぞれ、件名、本文の最初部分のみを表示し、いずれかが選択され内容表示項目８２が選択されてはじめて各々の本分を表示するので、小さなスペースの表示部８を有効利用して、電子メールの内容確認、編集して転送する作業などができる。
【００２８】
また、表示しきれない箇所がある場合には、続きがある旨の情報８４を付加するため、その旨を容易に確認でき、スクロール操作により全文スクロールされるので、容易にその全文を確認できる。
【図面の簡単な説明】
【００２９】
【図１】本発明の通信端末装置の基本構成の一例を示す図
【図２】本発明の通信端末装置の動作について説明するためのフローチャート
【図３】図２のフローチャートに示す処理による表示部の表示遷移の一例を示す図
【符号の説明】
【００３０】
Ｆ  ファクシミリ装置
１  制御部
８Ａ  共通選択画面
８０  件名項目
８１  本文項目
８２  内容表示項目
８４  続きありの情報
【図１】
2005192092.tif 000003
【図２】
2005192092.tif 000004
【図３】
2005192092.tif 000005